(57)【要約】【課題】配管や配線などの支持に利用できるケーブルラックの載置用部材を提供する。【解決手段】帯板状に形成された帯板部３と、帯板部３の長辺側の両端部分から各々帯板部３の面に交わる方向で両側に張り出した側壁部５と、側壁部５の各端部分から相対向する側壁部５に向かう方向に張り出した縁部７と、相対向する縁部７間に形成されて帯板部３を挟んで位置する帯状の開口部９とを有する構成とすれば、帯板部３を挟んで両側に、相対向する縁部７と、相対向する縁部７間に形成された帯状の開口部９とを有した状態となっているため、一方の相対向する縁部７及び開口部９を利用して載置用部材１自身の吊りボルト１７への取り付けや、ケーブルラック２５の固定などを行い、他方の相対向する縁部７及び開口部９を利用して、この載置用部材１に配管や配線などの支持部材を取り付けることができる。【選択図】        図１
2004248420.tif 000002
【特許請求の範囲】
【請求項１】
棒状に形成され、少なくとも２以上の帯状の開口部と、該開口部を形成し、該開口部の長辺側に該開口部を挟んで延在する相対向する縁部の少なくとも２以上の組とを有するケーブルラックの載置用部材。
【請求項２】
帯板状に形成された帯板部と、該帯板部の長辺側の両端部分から各々該帯板部の面に交わる方向で両側に張り出した側壁部と、該側壁部の各端部分から相対向する前記側壁部に向かう方向に張り出した縁部と、相対向する前記縁部間に形成されて前記帯板部を挟んで位置する帯状の開口部とを有するケーブルラックの載置用部材。
【発明の詳細な説明】
【０００１】
【発明の属する技術分野】
本発明は、ケーブルラックを載置するための載置用部材に関する。
【０００２】
【従来の技術】
ケーブルラックを載置して支持するための載置用部材として、従来、棒状で断面が略Ｃ字状の部材、例えばリップ溝形鋼などで形成した部材や、断面が略Ｃ字状の部材の帯状の開口部を形成する相対向する縁部を内側に向けて折り曲げて傾斜させた構造の部材（例えば、特許文献１−３参照）、２枚の帯板状の部材を組み合わせた部材（例えば、特許文献３参照）、棒状で断面がＬ字状の部材、例えば山形鋼などで形成した部材（例えば、特許文献４、５参照）などが用いられている。これらのケーブルラックの載置用部材は、例えば建物の天井スラブなどのインサートなどに上端部が固定された吊りボルトの下端部に取り付けられ、吊りボルトによって支持される。このような吊りボルトにによって天井スラブなどから吊られた状態の載置用部材を所定の間隔で敷設し、この所定の間隔で敷設した複数の載置用部材上にケーブルラックを載置して固定している。
【０００３】
【特許文献１】
登録実用新案３０１３２６９号公報（第４−７頁、第１図、第６図）
【特許文献２】
登録実用新案３０１５３０３号公報（第４−８頁、第１図、第６図）
【特許文献３】
特開２００２−２４７７２７号公報（第２−４頁、第１図、第５図）
【特許文献４】
特開２０００−３５０３２７号公報（第３頁、第２図）
【特許文献５】
特開２００２−３５０３２８号公報（第３頁、第２図）
【０００４】
【発明が解決しようとする課題】
ところで、これらのケーブルラックの載置用部材によって支持されるケーブルラックは、建物の天井裏、つまり部屋や廊下の天井スラブと天井との間の空間などに敷設される。天井裏の空間などには、ケーブルラックやケーブルラックの載置用部材の他にも、空調用のダクトなどの様々なダクト類、ケーブルラック上に載置されている電気配線の幹線ケーブルから分岐した分岐ケーブルといった配線類やケーブルラック上に載置されていない配線類、配線が内部に挿通された配管類やその他の水やガスなどの配管類などが必要に応じて適宜敷設される。このため、天井裏の空間などは、限られた空間の中にダクト類や配管類、配線類、そして、それらを支持するための吊りボルトといった支持部材などが敷設された状態となっている。
【０００５】
したがって、例えば、予め設計された配管や配線の敷設後に新たな配管や配線などを加えようとするときや、建物の改装工事などを行う際に配管や配線などのやり直しや、新たな配管や配線などを加えるときなど、後から配管や配線などを支持するために吊りボルトといった支持部材などを設置しようとしても、使用できるインサートが天井スラブにないといったように支持部材などを設置できない場合が生じる。また、天井スラブに利用できるインサートがあるといったように支持部材を設置できる場合でも、既に配管、配線、そして、それらの配管や配線を支持するための支持部材などが敷設された限られた空間内で、後から配管や配線などを支持するための支持部材の取り付け作業や、配線や配管作業などを行うことは難しい。したがって、予め設計された配管や配線の敷設後に新たな配管や配線などを加えようとするときや、建物の改装工事などにおいて後から配管や配線などを容易に敷設できるようにすることが望まれている。
【０００６】
そこで、本願の発明者らは、ケーブルラックの載置用部材と天井との間には空いた空間が残されている場合が比較的多いこと、ケーブルラックの載置用部材は、天井に比較的近い位置にあるため、天井を外したり、天井に設けられた点検口などを利用することで載置用部材が位置する空間での作業は比較的容易であることなどから、載置用部材を配管や配線などの支持に利用することを考えた。
【０００７】
本発明の課題は、ケーブルラックの載置用部材を配管や配線などの支持に利用することにある。
【０００８】
【課題を解決するための手段】
本発明のケーブルラックの載置用部材は、棒状に形成され、少なくとも２以上の帯状の開口部と、この開口部を形成し、この開口部の長辺側にこの開口部を挟んで延在する相対向する縁部の少なくとも２以上の組とを有する構成とすることにより上記課題を解決する。
【０００９】
また、本発明のケーブルラックの載置用部材は、帯板状に形成された帯板部と、この帯板部の長辺側の両端部分から各々この帯板部の面に交わる方向で両側に張り出した側壁部と、この側壁部の各端部分から相対向する側壁部に向かう方向に張り出した縁部と、相対向する縁部間に形成されて帯板部を挟んで位置する帯状の開口部とを有する構成とすることにより上記課題を解決する。
【００１０】
このような構成とすることにより、一つの縁部及び開口部の組を利用して吊りボルトに連結し、他の縁部及び開口部の組を利用して、この載置用部材に配管や配線の支持部材を取り付けることができる。したがって、ケーブルラックの載置用部材を配管や配線などの支持に利用できる。
【００１１】
【発明の実施の形態】
以下、本発明を適用してなるケーブルラックの載置用部材の一実施形態について図１乃至図５を参照して説明する。図１は、本発明を適用してなるケーブルラックの載置用部材の概略構成を示す斜視図である。図２は、本発明を適用してなるケーブルラックの載置用部材の概略構成を示す図であり、（ａ）は正面図、（ｂ）は平面図、（ｃ）は断面図である。図３は、本発明を適用してなるケーブルラックの載置用部材に配線を支持した状態を天井裏の断面で示す図である。図４は、本発明を適用してなるケーブルラックの載置用部材を吊りボルトに連結し、ケーブルラックを固定した状態を示す斜視図である。図５は、本発明を適用してなるケーブルラックの載置用部材に配管を支持した状態を示す斜視図である。
【００１２】
本実施形態のケーブルラックの載置用部材１は、図１及び図２に示すように、ケーブルラックの支持に必要な強度を有し、錆や腐蝕などが発生し難い材料、例えば、ステンレス鋼やガリバリウム鋼、メッキ処理した鋼材といった金属材料などで形成した棒状の部材である。載置用部材１は、帯板状に形成された帯板部３、帯板部３の長辺側の両端部分から各々帯板部３の面に垂直な方向で両側に張り出した２つの側壁部５、２つの側壁部５の各端部分から相対向する側壁部５に向かう方向に張り出した４つの縁部７、相対向する縁部７間に形成されて帯板部３を挟んで位置する２つの帯状の開口部９とを有している。したがって、本実施形態の載置用部材１は、断面がＣ字状の部材を背中合わせに結合させたような形状となっている。
【００１３】
本実施形態の載置用部材１の縁部７は、各々、側壁部５の端部分から帯板部３に向かって傾斜した状態になっている。また、各々の縁部７の端部分内面には、凹凸が形成されている。なお、本実施形態の載置用部材１の縁部７は、各々、側壁部５の端部分から帯板部３に向かって傾斜した状態になっている。しかし、載置用部材の縁部は、側壁部５の面に対して垂直に張り出した状態や、側壁部５の面に対して垂直に張り出し、さらに帯板部３に向かって垂直に折り曲げられた状態のものなど、様々な形状に形成できる。
【００１４】
このような構成のケーブルラックの載置用部材１の使用方法と本発明の特徴部について説明する。本実施形態のケーブルラックの載置用部材１は、図３に示すように、例えば建物の天井裏１１、つまり天井スラブ１３と天井１５との間の空間などに設置される。天井スラブ１３の載置用部材１を支持する２本の吊りボルト１７の設置位置に対応する位置には、インサート１９が埋設されている。吊りボルト１７の上端部はインサート１９に螺合されている。そして、２本の吊りボルト１７の下端部に載置用部材１の両端部分が連結されることで、載置用部材１は、吊りボルト１７に支持される。
【００１５】
２本の吊りボルト１７の下端部には、図４に示すように、上側から順にナット２１、中央部に貫通穴が形成された上側挟持板２３、中央部に貫通穴が形成された図示していない下側挟持板、そして図示していないナットが螺合または挿通されている。吊りボルト１７の下端部に載置用部材１を連結するとき、載置用部材１の両端部分で、上側に在る相対向する縁部７側が、吊りボルト１７の下端部に取り付けられた上側挟持板２３と図示していない下側挟持板との間に挿入される。また、このとき、開口部９に吊りボルト１７が挿通された状態となる。この状態で、上側挟持板２３の上側にあるナット２１を締め付けることで、載置用部材１の縁部７が上側挟持板２３と図示していない下側挟持板とに挟持され、載置用部材１が吊りボルト１７の下端部に取り付けられる。
【００１６】
このように吊りボルト１７によって天井裏１１の空間に設置された複数の載置用部材１上に、例えば梯子状のケーブルラック２５が、ケーブルラック固定金具２７によって固定される。ケーブルラック固定金具２７は、ケーブルラック固定金具２７に形成された平板状の挟持部２９に形成された貫通穴と、載置用部材１の開口部９に挿通されたボルト３０とに挿通されたボルト３０に、このボルト３０に対応する雌ねじが切られた貫通穴を穿設した図示していない平板状の挟持板を螺合することで載置用部材１に固定される。
【００１７】
つまり、図示していない平板状の挟持板を載置用部材１の帯板部３と縁部７との間の空間に挿入し、この図示していない挟持板の雌ねじが切られた貫通穴にボルト３０を螺合させ締め付けることで、ケーブルラック固定金具２７の挟持部２９と図示していない挟持板とが載置用部材１の縁部７を挟持し、ケーブルラック固定金具２７が載置用部材１に固定された状態となる。このとき、ケーブルラック固定金具２７の固定椀部３１が、載置用部材１にケーブルラック２５を押しつけることで、ケーブルラック固定金具２７の載置用部材１への固定と同時に、ケーブルラック２５が載置用部材１に固定される。
【００１８】
このような本実施形態の載置用部材１は、帯板部３を挟んで両側に、相対向する縁部７と、相対向する縁部７間に形成された帯状の開口部９とを有している。したがって、一方の相対向する縁部７と開口部９とを、この載置用部材１自身の吊りボルト１７への固定や、ケーブルラック２５の固定に用いても、他方の相対向する縁部７と開口部９とを配管や配線などを支持するための支持部材の固定に用いることができ、載置用部材１を配管や配線などの支持に利用することができる。
【００１９】
例えば、図３に示すように、載置用部材１の上側に向けた相対向する縁部７と開口部９とが、吊りボルト１７への固定や、ケーブルラック２５の固定に用いられている。そして、下側に向けた相対向する縁部７と開口部９とは、配線などを掛けて支持するためのＪ字状の支持部材３３の設置に用いられている。載置用部材１へのＪ字状の支持部材３３の取り付けは、載置用部材１の吊りボルト１７への取付や、載置用部材１へのケーブルラック固定金具２７の固定と同じように、相対向する縁部７を挟持することで行う。このとき、Ｊ字状の支持部材３３の取り付け位置は、載置用部材１がレールの役目を果たすため、載置用部材１の延在範囲内で適宜調整できる。
【００２０】
また、載置用部材１を用いて配管を支持する場合には、図５に示すように、下側に向けた相対向する縁部７と開口部９とを利用して載置用部材１の下側に吊りボルトの下端部に配管３４を把持する円管状の把持部が設けられた吊りバンド３５を取り付ける。配管支持用の吊りバンド３５も、載置用部材１の吊りボルト１７への取付や、載置用部材１へのケーブルラック固定金具２７の固定と同じように、吊りバンド３５の吊りボルトの上端部に取り付けた挟持板などで相対向する縁部７を挟持することで載置用部材１への取り付けを行う。
【００２１】
このように、本実施形態のケーブルラックの載置用部材１では、断面Ｃ字状の部材を背中合わせに結合させた状態、つまり、帯板部３を挟んで両側に、相対向する縁部７と、相対向する縁部７間に形成された帯状の開口部９とを有した状態となっている。このため、一方の相対向する縁部７及び開口部９を利用して載置用部材１自身の吊りボルト１７への取り付けや、ケーブルラック２５の固定などを行い、他方の相対向する縁部７及び開口部９を利用して、この載置用部材１に配管や配線の支持部材を取り付けることができる。したがって、配管や配線などの支持に利用できる。
【００２２】
ところで、このようなケーブルラックの載置用部材１によって支持されるケーブルラック２５は、図３に示すように、建物の天井裏１１、つまり部屋や廊下の天井スラブ１３と天井１５との間の空間などに敷設される。天井裏１１の空間には、ケーブルラック２５やケーブルラックの載置用部材１の他にも、例えば、空調用などの様々なダクト３６、３７、ダクト３６から分岐した分岐ダクト３８、ケーブルラック２５上に載置されている電気配線の幹線ケーブル３９、天井に埋め込まれて取り付けられた照明器具４１、天井１５を支持するための吊りボルト４３、その他、図示していないが、幹線ケーブル３９から分岐した分岐ケーブルといった配線や、ケーブルラック２５上に載置されていない配線、配線が内部に挿通された配管や水やガスなどの配管などが敷設されている場合がある。
【００２３】
このように、天井裏１１の限られた空間の中に、ダクトや配管、配線、そして、それらを支持するための吊りボルトといった支持部材などが敷設された状態となっている。また、天井スラブ１３に埋設されたインサート１９もケーブルラックの載置用部材１や、天井１５、ダクト３６、３７、３８、その他の配管などの支持のため使用されており、余分なインサートがない場合がある。このため、例えば、予め設計された配管や配線の敷設後に新たな配管や配線を加えようとするときや、建物の改装工事などを行う際の配管や配線のやり直しや、新たな配管や配線などを追加するとき、これらの配管や配線を支持するために吊りボルトなどの支持部材などを設置できない場合が生じる。また、支持部材を設置できるとしても、限られた空間内で、配管や配線などを支持するための支持部材の取り付け作業や、配管や配線作業などを行うことは難しい。
【００２４】
これに対して、本実施形態のケーブルラックの載置用部材１を使用すれば、ケーブルラックの載置用部材を配管や配線の支持に利用できるため、ケーブルラックの載置用部材１と天井との間の空いた空間を利用して、配管や配線など行うことができる。さらに、天井に設けられた点検口などを利用することで載置用部材１が位置する空間での作業は比較的容易であることから、配管や配線などを容易に行うことができる。
【００２５】
さらに、本実施形態のケーブルラックの載置用部材１では、載置用部材１自身の吊りボルト１７への取り付け、載置用部材１への配管や配線の支持部材の取り付けにおいて、特別な取付用金具などを用いたり、載置用部材１へ穴開け加工などをする必要が無い。
【００２６】
また、本発明は、本実施形態の構成及び形状のケーブルラックの載置用部材に限らず、相対向する縁部と、この相対向する縁部間に形成された開口部との組を２組以上備えていれば様々な構成及び形状に形成することができる。
【００２７】
【発明の効果】
本発明によれば、ケーブルラックの載置用部材を配管や配線の支持に利用できる。
【図面の簡単な説明】
【図１】本発明を適用してなるケーブルラックの載置用部材の一実施形態の概略構成を示す斜視図である。
【図２】本発明を適用してなるケーブルラックの載置用部材の一実施形態の概略構成を示す図であり、（ａ）は正面図、（ｂ）は平面図、（ｃ）は断面図である。
【図３】本発明を適用してなるケーブルラックの載置用部材の一実施形態に配線を支持した状態を天井裏の断面で示す図である。
【図４】本発明を適用してなるケーブルラックの載置用部材の一実施形態を吊りボルトに連結し、ケーブルラックを固定した状態を示す斜視図である。
【図５】本発明を適用してなるケーブルラックの載置用部材の一実施形態に配管を支持した状態を示す斜視図である。
【符号の説明】
１  ケーブルラックの載置用部材
３  帯板部
５  側壁部
７  縁部
９  開口部
【図１】
2004248420.tif 000003
【図２】
2004248420.tif 000004
【図３】
2004248420.tif 000005
【図４】
2004248420.tif 000006
【図５】
2004248420.tif 000007